【手続補正書】
【提出日】平成22年6月17日(2010.6.17)
【手続補正１】
【補正対象書類名】明細書
【補正対象項目名】発明の名称
【補正方法】変更
【補正の内容】
【発明の名称】ＶＡ型液晶表示装置
【手続補正２】
【補正対象書類名】明細書
【補正対象項目名】０００１
【補正方法】変更
【補正の内容】
【０００１】
本発明は、ポリマーフイルムのみからなる光学補償シートを用いたＶＡ型液晶表示装置に関する。
【手続補正３】
【補正対象書類名】明細書
【補正対象項目名】０００５
【補正方法】変更
【補正の内容】
【０００５】
本発明の目的は、ポリマーフイルムによって光学的に補償されたＶＡ型液晶表示装置を提供することである。
【手続補正４】
【補正対象書類名】明細書
【補正対象項目名】０００６
【補正方法】変更
【補正の内容】
【０００６】
本発明の目的は、下記（１）〜（４）のＶＡ型液晶表示装置により達成された。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
（１）ＶＡモードの液晶セルおよびその両側に配置された二枚の偏光板からなり、偏光板が偏光膜およびその両側に配置された二枚の透明保護膜からなるＶＡ型液晶表示装置であって、液晶セルと偏光膜との間に配置される二枚の透明保護膜の一方が、少なくとも二つの芳香族環を有する芳香族化合物を含むセルロースエステルフイルムからなる光学補償シートであり、セルロースエステルフイルムおよび光学補償シートのいずれも、下記式（Ｉ）により定義されるＲｅレターデーション値が２０乃至７０ｎｍの範囲にあり、下記式（II）により定義されるＲthレターデーション値が７０乃至２００ｎｍの範囲にあり、そしてヘイズが０．２乃至０．６％であることを特徴とするＶＡ型液晶表示装置：
（Ｉ）  Ｒｅ＝（ｎｘ−ｎｙ）×ｄ
（II）  Ｒth＝｛（ｎｘ＋ｎｙ）／２−ｎｚ｝×ｄ
［式中、ｎｘは、フイルム面内の遅相軸方向の屈折率であり；ｎｙは、フイルム面内の進相軸方向の屈折率であり；ｎｚは、フイルムの厚み方向の屈折率であり；そして、ｄは、フイルムの厚さである］。
（２）光学補償シートが、その遅相軸の平均方向と、隣接する偏光膜の透過軸とのなす角度の絶対値が３°以下になるように配置されている（１）に記載のＶＡ型液晶表示装置。
【手続補正８】
【補正対象書類名】明細書
【補正対象項目名】００１０
【補正方法】変更
【補正の内容】
【００１０】
（３）ＶＡモードの液晶セルおよびその両側に配置された二枚の偏光板からなり、偏光板が偏光膜およびその両側に配置された二枚の透明保護膜からなるＶＡ型液晶表示装置であって、液晶セルと偏光膜との間に配置される二枚の透明保護膜のそれぞれが、少なくとも二つの芳香族環を有する芳香族化合物を含むセルロースエステルフイルムからなる光学補償シートであり、セルロースエステルフイルムおよび光学補償シートのいずれも、下記式（Ｉ）により定義されるＲｅレターデーション値が２０乃至７０ｎｍの範囲にあり、下記式（II）により定義されるＲthレターデーション値が７０乃至２００ｎｍの範囲にあり、そしてヘイズが０．２乃至０．６％であることを特徴とするＶＡ型液晶表示装置：
（Ｉ）  Ｒｅ＝（ｎｘ−ｎｙ）×ｄ
（II）  Ｒth＝｛（ｎｘ＋ｎｙ）／２−ｎｚ｝×ｄ
［式中、ｎｘは、フイルム面内の遅相軸方向の屈折率であり；ｎｙは、フイルム面内の進相軸方向の屈折率であり；ｎｚは、フイルムの厚み方向の屈折率であり；そして、ｄは、フイルムの厚さである］。
（４）一方の光学補償シートの遅相軸の平均方向が該光学補償シートに隣接する偏光膜の透過軸とのなす角度の絶対値と、他方の光学補償シートの遅相軸の平均方向が該光学補償シートに隣接する偏光膜の透過軸とのなす角度の絶対値と、の和が３°以下になるように二枚の光学補償シートが配置されている（３）に記載のＶＡ型液晶表示装置。
【手続補正９】
【補正対象書類名】明細書
【補正対象項目名】００１１
【補正方法】変更
【補正の内容】
【００１１】
本発明者は、ポリマーフイルムのみで液晶セルを光学的に補償することに成功した。ポリマーフイルムへの添加剤（具体的には、二つの芳香族環を有する芳香族化合物）の種類と量あるいは製造条件（例えば、フイルムの延伸条件）を調節することによって、Ｒｅレターデーション値が２０乃至７０ｎｍであり、Ｒthレターデーション値が７０乃至２００ｎｍであるポリマーフイルムが得られる。
このポリマーフイルムは、液晶セルを光学的に補償するために充分な光学的異方性を有している。従って、一枚のポリマーフイルムのみからなる光学補償シートが得られる。
ポリマーフイルムで高いレターデーション値を実現しようとすると、添加剤の添加量が増えるか、大きい延伸倍率が必要になりやすい。本発明で用いる添加剤の種類と量あるいは製造条件を調節することによって、透明性に優れたポリマーフイルムのみからなる光学補償シートが得られる。
偏光板の保護膜は、一般にセルロースアセテートフイルムからなる。上記のポリマーフイルムを偏光板の一方の保護膜として用いると、偏光板の構成要素の数を増加することなく、偏光板に光学補償機能を追加することができる。
また、本発明に用いるポリマーフイルムとしては、セルロースアセテートフイルムを用いることが好ましい。なお、酢化度が５９．０未満のセルロースアセテートを使用すると、上記の光学的異方性を容易に達成できるが、耐久性が低下する。本発明では、酢化度が５９．０乃至６１．５％であるセルロースアセテートを使用し、他の手段（上記の添加剤や製造条件の調節）で上記のレターデーション値を達成することにより、光学的異方性と耐久性との双方が優れたセルロースアセテートフイルムを得ている。
上記のポリマーフイルムのみからなる光学補償シートおよび上記のポリマーフイルムを保護膜として用いた偏光板は、ＶＡ（Vertically Aligned）型の液晶表示装置に、特に有利に用いることができる。
【手続補正１０】
【補正対象書類名】明細書
【補正対象項目名】００１３
【補正方法】変更
【補正の内容】
【００１３】
本発明では、ポリマーフイルムのＲｅレターデーション値を２０乃至７０ｎｍに、そして、Ｒthレターデーション値を７０乃至２００ｎｍに調節する。
なお、ポリマーフイルムの複屈折率（Δｎ：ｎｘ−ｎｙ）は、０．０００２５乃至０．０００８８であることが好ましい。また、ポリマーフイルムの厚み方向の複屈折率｛（ｎｘ＋ｎｙ）／２−ｎｚ｝は、０．０００８８乃至０．００５であることが好ましい。
【手続補正１１】
【補正対象書類名】明細書
【補正対象項目名】００１４
【補正方法】変更
【補正の内容】
【００１４】
［ヘイズ］
光学補償シートのヘイズは下記の式にしたがって算出される。
ヘイズ（Ｈ）＝拡散透過率（Ｄ）／全光線透過率（Ｔ）×１００（％）
ヘイズは０．６％以下である。また、ポリマーフイルムのヘイズは、０．２％以上であるのが一般的である。
光学補償シートが高いレターデーション値を有していても、ヘイズ値が大きいと光学補償シートの透明性が低く、液晶表示装置の表示輝度が充分には得られず好ましくない。
詳細は後述するが本発明においては、光学補償シートに必要とされる高いレターデーション値を、レターデーション上昇剤の添加、ポリマーフイルムの延伸処理などにより実現している。さらに、光学補償シートに用いるポリマー材料の重合度、レターデーション上昇剤の種類と添加量、そして、ポリマーフイルムの延伸処理条件などを調整することにより、ヘイズ値の小さい光学補償シートを得ている。これにより透明度が高く（ヘイズ値の小さい）かつ高いレターデーション値を有する光学補償シートが得られる。
【手続補正１２】
【補正対象書類名】特許請求の範囲
【補正対象項目名】全文
【補正方法】変更
【補正の内容】
【特許請求の範囲】
【請求項１】
ＶＡモードの液晶セルおよびその両側に配置された二枚の偏光板からなり、偏光板が偏光膜およびその両側に配置された二枚の透明保護膜からなるＶＡ型液晶表示装置であって、液晶セルと偏光膜との間に配置される二枚の透明保護膜の一方が、少なくとも二つの芳香族環を有する芳香族化合物を含むセルロースエステルフイルムからなる光学補償シートであり、セルロースエステルフイルムおよび光学補償シートのいずれも、下記式（Ｉ）により定義されるＲｅレターデーション値が２０乃至７０ｎｍの範囲にあり、下記式（II）により定義されるＲthレターデーション値が７０乃至２００ｎｍの範囲にあり、そしてヘイズが０．２乃至０．６％であることを特徴とするＶＡ型液晶表示装置：
（Ｉ）  Ｒｅ＝（ｎｘ−ｎｙ）×ｄ
（II）  Ｒth＝｛（ｎｘ＋ｎｙ）／２−ｎｚ｝×ｄ
［式中、ｎｘは、フイルム面内の遅相軸方向の屈折率であり；ｎｙは、フイルム面内の進相軸方向の屈折率であり；ｎｚは、フイルムの厚み方向の屈折率であり；そして、ｄは、フイルムの厚さである］。
【請求項２】
光学補償シートが、その遅相軸の平均方向と、隣接する偏光膜の透過軸とのなす角度の絶対値が３°以下になるように配置されている請求項１に記載のＶＡ型液晶表示装置。
【請求項３】
ＶＡモードの液晶セルおよびその両側に配置された二枚の偏光板からなり、偏光板が偏光膜およびその両側に配置された二枚の透明保護膜からなるＶＡ型液晶表示装置であって、液晶セルと偏光膜との間に配置される二枚の透明保護膜のそれぞれが、少なくとも二つの芳香族環を有する芳香族化合物を含むセルロースエステルフイルムからなる光学補償シートであり、セルロースエステルフイルムおよび光学補償シートのいずれも、下記式（Ｉ）により定義されるＲｅレターデーション値が２０乃至７０ｎｍの範囲にあり、下記式（II）により定義されるＲthレターデーション値が７０乃至２００ｎｍの範囲にあり、そしてヘイズが０．２乃至０．６％であることを特徴とするＶＡ型液晶表示装置：
（Ｉ）  Ｒｅ＝（ｎｘ−ｎｙ）×ｄ
（II）  Ｒth＝｛（ｎｘ＋ｎｙ）／２−ｎｚ｝×ｄ
［式中、ｎｘは、フイルム面内の遅相軸方向の屈折率であり；ｎｙは、フイルム面内の進相軸方向の屈折率であり；ｎｚは、フイルムの厚み方向の屈折率であり；そして、ｄは、フイルムの厚さである］。
【請求項４】
一方の光学補償シートの遅相軸の平均方向が該光学補償シートに隣接する偏光膜の透過軸とのなす角度の絶対値と、他方の光学補償シートの遅相軸の平均方向が該光学補償シートに隣接する偏光膜の透過軸とのなす角度の絶対値と、の和が３°以下になるように二枚の光学補償シートが配置されている請求項３に記載のＶＡ型液晶表示装置。